(57)【特許請求の範囲】
【請求項１】
他の通信端末と画像データの送受信をする通信手段と、記録紙に画像データを記録する記録手段と、原稿の画像データを読み取る読取手段と、回転方向を切り替えることで前記読取手段と記録手段とで共用するモータと、記録動作に対して読取動作を優先させる読取優先モードの設定を行なう操作手段と、装置が前記読取優先モードの設定状態にあり、前記記録手段の記録動作中に前記読取手段を使用する読取指示があった場合に、前記記録動作中の画像データが受信中の画像データであれば前記受信中の画像データを前記記録手段へ転送する処理からファイルメモリに格納する処理に切り替えて、前記画像データの受信を継続しながら前記記録動作を停止すると共に第１のフラグ情報をセットして、前記モータの回転方向を切り替えて前記読取手段を起動させることで読取動作を開始し、前記記録動作中の画像データが受信は終了したが記録未完了の画像データであれば前記受信後の画像データの区切りで前記記録動作を停止すると共に第２のフラグ情報をセットし、前記モータの回転方向を切り替えて前記読取手段を起動させることで前記読取動作を開始し、前記読取動作が終了すると、前記第１、第２のフラグ情報を参照し、前記モータの回転方向を再び切り替えて、前記記録手段を起動させることで、前記ファイルメモリに格納した前記画像データあるいは前記区切り後の前記画像データを記録する制御を行なう制御手段と、を具備したことを特徴とするファクシミリ装置。
【発明の詳細な説明】
【０００１】
【発明の属する技術分野】
本発明は、画像データを記録する記録部と画像データを読み取る読取部とが１つのモータを共用するファクシミリ装置に関する。
【０００２】
【従来の技術】
従来より、装置のコストダウンを図るために、１つのモータを画像データを記録する記録部と画像データを読み取る読取部とで共用するファクシミリ装置がある。この種の装置は、記録部に記録紙を送るローラと、読取部に原稿を送るローラとを共用している。そして、この種の装置は、モータを制御し、共用しているローラの回転方向を反転することにより、ローラを記録部に記録紙を送るために使用するか読取部に原稿を送るために使用するかを切り替えている。
【０００３】
ところで、この種の装置は、１つのモータを記録部と読取部とで共用しているため、画像の記録動作と画像の読取動作とを同時に行なうことができない。そこで、従来のファクシミリ装置は、記録動作と読取動作とが重複しないように制御している。以下、従来のファクシミリ装置の記録および読取制御について、図４を用いて説明する。図４は、従来のファクシミリ装置の記録制御および読取制御のフロー図である。
【０００４】
まず、従来のファクシミリ装置は、メモリに画像データを蓄積した後にファクシミリ送信するメモリ送信や、画像データをメモリに蓄積しないでダイレクトにファクシミリ送信するダイレクト送信や、画像データをメモリに蓄積するなどの読取処理の開始があるか否かの判断をする（ＳＴ４０１）。そして、ＳＴ４０１において読取操作開始があるという判断をすると、従来のファクシミリ装置は、メモリに蓄積された画像データを記録する動作や、ファクシミリ送信されてきた画像データを記録する動作などの記録処理動作中であるか否かの判断をする（ＳＴ４０２）。
【０００５】
そして、ＳＴ４０２において記録動作中でないという判断をすると、従来のファクシミリ装置は読取動作を開始する（ＳＴ４０３）。一方、ＳＴ４０２において記録動作中であるという判断をすると、従来のファクシミリ装置は、モータを共用しているため記録動作と読取動作とを同時に行なえないので、読取動作開始の拒否を行なう（ＳＴ４０４）。
【０００６】
一方、ＳＴ４０１において読取操作開始ではないという判断をすると、従来のファクシミリ装置は、記録操作動作の開始があるか否かの判断をする（ＳＴ４０５）。そして、ＳＴ４０５において、記録操作開始であるという判断をすると、現在読取動作中であるか否かの判断をする（ＳＴ４０６）。
【０００７】
そして、ＳＴ４０６において読取動作中でないという判断をすると、従来のファクシミリ装置は記録動作を開始する（ＳＴ４０７）。一方、ＳＴ４０６において読取動作中であるという判断をすると、従来のファクシミリ装置は、記録動作と読取動作とを同時に行なえないので、記録動作開始の拒否を行なう（ＳＴ４０４）。
【０００８】
このようにして、従来のファクシミリ装置は、読取動作と記録動作が重複しないようにしている。
【０００９】
【発明が解決しようとする課題】
しかしながら、従来のこの種のファクシミリ装置は、記録動作中に読取動作を行なうことができない。このため、従来のファクシミリ装置では、ユーザがファクシミリ送信などを行なうための画像読取動作を開始しようとしても、ファクシミリ装置が記録動作中であると記録動作中が終了するまで待たなくてはならない。
【００１０】
特に、一台のファクシミリ装置を複数のユーザで共用する場合などには、ユーザは画像読取動作を行なうために、自分の机からファクシミリ装置の前に移動する必要がある。しかし、ユーザは、記録動作が終了するまで読取動作を行なえないため、一旦机に戻り、後で再度ファクシミリ装置の前に移動する必要がある。このように、ユーザは、無駄な動作をすることになり、非常に非効率的である。
【００１１】
本発明は、かかる点に鑑みてなされたものであり、読取部と記録部とで１つのモータを共用して装置のコストダウンを図った場合であっても、ユーザが記録動作の終了を待たずに読取動作を行なうことができるファクシミリ装置を提供することを目的とする。
【００１２】
【課題を解決するための手段】
本発明のファクシミリ装置は、他の通信端末と画像データの送受信をする通信手段と、記録紙に画像データを記録する記録手段と、原稿の画像データを読み取る読取手段と、回転方向を切り替えることで前記読取手段と記録手段とで共用するモータと、記録動作に対して読取動作を優先させる読取優先モードの設定を行なう操作手段と、装置が前記読取優先モードの設定状態にあり、前記記録手段の記録動作中に前記読取手段を使用する読取指示があった場合に、前記記録動作中の画像データが受信中の画像データであれば前記受信中の画像データを前記記録手段へ転送する処理からファイルメモリに格納する処理に切り替えて、前記画像データの受信を継続しながら前記記録動作を停止すると共に第１のフラグ情報をセットして、前記モータの回転方向を切り替えて前記読取手段を起動させることで読取動作を開始し、前記記録動作中の画像データが受信は終了したが記録未完了の画像データであれば前記受信後の画像データの区切りで前記記録動作を停止すると共に第２のフラグ情報をセットし、前記モータの回転方向を切り替えて前記読取手段を起動させることで前記読取動作を開始し、前記読取動作が終了すると、前記第１、第２のフラグ情報を参照し、前記モータの回転方向を再び切り替えて、前記記録手段を起動させることで、前記ファイルメモリに格納した前記画像データあるいは前記区切り後の前記画像データを記録する制御を行なう制御手段と、を具備したものである。
【００１３】
これにより、ユーザが装置の前にいないことが多い受信画像データの記録動作を一時中断するにあたって、どのような状態で記録動作が中断したかをフラグ管理した上で、ユーザが装置の前にいる読取動作を優先させることができるので、読取部と記録部とで１つのモータを共用して装置のコストダウンを図った場合であっても、ユーザは記録動作の終了を待たずに読取動作を行なうことができ、読取動作終了後には記録動作を確実に再開できる。
【００１４】
【発明の実施の形態】
本発明にかかるファクシミリ装置は、他の通信端末と画像データの送受信をする通信手段と、記録紙に画像データを記録する記録手段と、原稿の画像データを読み取る読取手段と、回転方向を切り替えることで前記読取手段と記録手段とで共用するモータと、記録動作に対して読取動作を優先させる読取優先モードの設定を行なう操作手段と、装置が前記読取優先モードの設定状態にあり、前記記録手段の記録動作中に前記読取手段を使用する読取指示があった場合に、前記記録動作中の画像データが受信中の画像データであれば前記受信中の画像データを前記記録手段へ転送する処理からファイルメモリに格納する処理に切り替えて、前記画像データの受信を継続しながら前記記録動作を停止すると共に第１のフラグ情報をセットして、前記モータの回転方向を切り替えて前記読取手段を起動させることで読取動作を開始し、前記記録動作中の画像データが受信は終了したが記録未完了の画像データであれば前記受信後の画像データの区切りで前記記録動作を停止すると共に第２のフラグ情報をセットし、前記モータの回転方向を切り替えて前記読取手段を起動させることで前記読取動作を開始し、前記読取動作が終了すると、前記第１、第２のフラグ情報を参照し、前記モータの回転方向を再び切り替えて、前記記録手段を起動させることで、前記ファイルメモリに格納した前記画像データあるいは前記区切り後の前記画像データを記録する制御を行なう制御手段と、を具備した構成を採る。
【００１５】
この構成により、記録動作中に読取指示がされた場合に、ユーザが装置の前にいないことが多い受信画像データの記録動作を一時中断するにあたって、どのような状態で記録動作が中断したかをフラグ管理した上で、ユーザが装置の前にいる読取動作を優先させることができる。この結果、読取手段と記録手段とで１つのモータを共用して装置のコストダウンを図った場合であっても、ユーザは記録動作の終了を待たずに読取動作を行なうことができ、読取動作終了後には記録動作を確実に再開できる。
【００２０】
以下、本発明の一実施の形態にかかるファクシミリ装置について、添付図面を使用して説明する。まず、上記実施の形態にかかるファクシミリ装置の構成について図１を用いて説明する。図１は、上記実施の形態にかかるファクシミリ装置のハードウェアブロック図である。
【００２１】
本ファクシミリ装置１００には、記憶手段に格納されたプログラムに沿って所定の処理を行なう中央制御手段である制御部１０１が設けられている。制御部１０１には、各種フラグを設定するフラグ部１０２が設けられている。
【００２２】
また、ファクシミリ装置１００には、記憶手段として、メモリ部１０３が設けられている。メモリ部１０３には、制御部１０１がダウンロードするプログラムを格納したプログラム格納部１０４が設けられている。また、メモリ部１０３には、プログラム格納部１０４に格納されたプログラムをダウンロードするなどの制御部１０１の作業領域であるワークメモリ１０５が設けられている。また、メモリ部１０３には、記録用に少なくとも１ページ分の画像データを格納するページメモリ１０６と、通信手段に送る画像データもしくは通信手段から送られてきた画像データを格納するファイルメモリ１０７とが設けられている。
【００２３】
ページメモリ１０６は、記録に必要な画像データをページ単位で格納する記憶手段である。また、ファイルメモリ１０７は、通信手段に送る画像データもしくは通信手段から送られてきた画像データをファイル単位で格納する記憶手段である。また、ファイルメモリ１０７に格納された画像データのアドレスは、ＦＡＴ（ファイルアロケーションテーブル）１０８に格納される。これにより、制御部１０１がファイルの管理を行ない易くなっている。
【００２４】
また、ファクシミリ装置１００には、通信手段として通信部１０９が設けられている。通信部１０９は、他の通信装置と回線を介して接続され、他の通信装置と画像データの送受信を行なったり、他の通信装置と通話する機能を有する。
【００２５】
また、ファクシミリ装置１００は、他の通信端末から送られてきた画像データをダイレクトに記録するダイレクト受信モードと、送られてきた画像データを一旦メモリ部１０３に格納してから記録するメモリ受信モードを有する。
【００２６】
ダイレクト受信モードは、送られてきた画像データを復号化しながらページメモリ１０６に格納し、ページメモリ１０６に１ページ分の画像データが格納されたら記録するモードである。また、メモリ受信モードは、送られてきた画像データを一旦ファイルメモリ１０７に格納し、後で記録指示があった場合に、画像データをファイルメモリ１０７から読み出し、復号化してページメモリ１０６に送り、そしてページメモリ１０６に１ページ分の画像データが格納されたら記録するモードである。
【００２７】
また、ファクシミリ装置１００は、他の通信端末にダイレクトに画像データの送信を行なうダイレクト送信モードと、画像データを一旦メモリ部１０３に格納してから他の通信端末に送信するメモリ送信モードを有する。
【００２８】
ダイレクト送信モードは、画像データを読み取る読取手段で読み取った画像データを符号化しながら送信するというモードである。また、メモリ送信モードは、読み取った画像データを一旦ファイルメモリ１０７に格納し、後で送信指示があった場合に、画像データをファイルメモリ１０７から読み出し、符号化して送信するというモードである。
【００２９】
また、ファクシミリ装置１００には、通信手段から送られてきた画像データを記録紙に記録する記録手段として記録部１１０が設けられている。また、ファクシミリ装置１００には、通信手段に対して送る画像データを原稿から読み取る読取手段である読取部１１１が設けられている。
【００３０】
また、ファクシミリ装置１００には、各種情報もしくは、読取動作開始指示、記憶動作開始指示、およびファクシミリ通信開始指示などの各種指示などを入力するための操作部１１５が設けられている。また、操作部１１５から入力された情報は、表示部１１６に可視表示される。また、表示部１１６は、ファクシミリ装置１００が行なっている処理の内容も表示する。
【００３１】
また、ファクシミリ装置１００には、原稿が設置されたか、記録紙が設置されたか、操作部１１５から各種情報もしくは各種指示などが入力されたか否かなどの検知するセンサ部１１４が設けられている。
【００３２】
また、ファクシミリ装置１００には、記録部１１０に記録紙を送る機能と、読取部１１１に原稿を送る機能とを共に有するローラ１１２が設けられている。ローラ１１２は、モータ部１１３により、回転方向を反転させることができる。そして、図２に示すように、制御部１０１がモータを制御し、記録部１１０と読取部１１１とで共用しているローラ１１２の回転方向を反転することにより、ローラ１１２を記録部１１０に記録紙を送るために使用するか、読取部１１１に原稿を送るために使用するかを切り替えることができる。
【００３３】
図２に示す例では、ローラ１１２を反時計回り（図中のａで示される矢印の方向）に回転させることにより、原稿２０１を読取部１１１に送ることができる。また、ローラ１１２を時計回り（図中のｂで示される矢印の方向）に回転させることにより、記録紙２０２を記録部１１０に送ることができる。なお、図２は、上記実施の形態にかかるローラおよびモータの動作を説明するための模式図である。
【００３４】
このように、ファクシミリ装置１００は、１つの、ローラ１１２およびモータ部１１３とを、記録部１１０および読取部１１１で共用することで、装置のコストダウンが図られている。
【００３５】
しかしながら、単純にローラ１１２を記録部１１０および読取部１１１で共用するのでは、記録部１１０による記録動作中に、読取部１１１による読取動作を行なうことができない。そこで、本実施の形態では、記録動作に対して読取動作を優先させる読取優先モードを設けることで、記録部１１０による記録動作中であっても読取部１１１による読取動作を行なえるようにしている。
【００３６】
以下、ファクシミリ装置１００の記録および読取制御について図３を用いて説明する。図３は、上記実施の形態にかかるファクシミリ装置の記録制御および読取制御のフロー図である。
【００３７】
まず、ファクシミリ装置１００の制御部１０１は、メモリ送信やダイレクト送信などをするために、原稿の画像データを読取部１１１で読み取り、読み取った画像データをメモリ部１０３に蓄積するという読取操作を開始するか否かを判断する（ＳＴ３０１）。具体的には、制御部１０１は、操作部１１５から読取を開始する旨の入力があったか、もしくはセンサ部１１４が原稿の設置を検知した等に監視することにより、読取操作を開始するかを判断する。
【００３８】
ＳＴ３０１において、読取操作を開始しないと判断した場合は、制御部１０１は、メモリ受信やダイレクト受信した画像データを記録紙に記録したり、装置設定を記録したり、送信履歴を記録したり、読取部１１１で読み取った画像を記録するなどの、画像データ記録操作を開始するか否かを判断する（ＳＴ３０２）。具体的には、制御部１０１は、操作部１１５から画像データの記録を開始する旨の入力があったか、もしくはダイレクト受信モードの場合に画像データを受信したかを判断すること等により、記録操作を開始するかを判断する。
【００３９】
そして、ＳＴ３０２において、制御部１０１が、記録操作を開始しないと判断した場合、ＳＴ３０１の処理に戻る。一方、ＳＴ３０２において、記録操作を開始すると判断した場合、制御部１０１は読取部１１１が読取動作中であるか否かを判断する（ＳＴ３０３）。
【００４０】
ＳＴ３０３において、制御部１０１が、読取動作中であるという判断をすると、記録動作を開始すると読取動作と記録動作が重複してしまう。よって、制御部１０１は、記録動作開始を拒否し（ＳＴ３０４）、ＳＴ３０１の処理に戻る。一方、ＳＴ３０３において、制御部１０１が、読取動作中でないという判断をした場合、記録動作が読取動作と重複しないので、記録動作を行なうのに何ら支障がない。よって、制御部１０１は、記録部１１０を制御し、記録動作を開始する（ＳＴ３０５）。
【００４１】
また、ＳＴ３０１において、制御部１０１が、読取操作を開始するという判断をした場合は、制御部１０１は、メモリ受信やダイレクト受信した画像データを記録紙に記録したり、装置設定を記録したり、送信履歴を記録するなどの記録動作中か否かを判断する（ＳＴ３０６）。
【００４２】
ＳＴ３０６において、制御部１０１が記録動作中でないという判断をした場合、読取動作が記録動作と重複しないので、読取動作を行なうのに何ら支障がない。よって、制御部１０１は、読取部１１１を制御し、読取動作を開始する（ＳＴ３０７）。
【００４３】
一方、ＳＴ３０６において、制御部１０１が記録動作中であるという判断をした場合、読取動作を開始すると、読取動作と記録動作とが重複してしまう。このため、制御部１０１は、読取優先モードになっているか否かを判断する（ＳＴ３０８）。読取優先モードとは、記録動作に対して読取動作を優先的に行なうというモードである。また、読取優先モードは、ユーザが操作部１１５を操作することにより設定できる。
【００４４】
そして、ＳＴ３０８において、制御部１０１が読取優先モードでないという判断をすると、記録動作に対して読取動作を優先的に行なう状態にはないことになる。よって、読取動作と記録動作とが重複してしまうので、制御部１０１は、読取開始を拒否する（ＳＴ３０９）。一方、ＳＴ３０８において、制御部１０１が読取優先モードであるという判断をすると、制御部１０１は読取優先モードにおける処理に移行する。
【００４５】
読取優先モードにおける処理は、記録動作を単純に中止し、読取動作を開始するというものではない。読取優先モードにおける処理は、読取動作だけでなく記録動作も正確に完了させるために、記録動作を中断し、読取動作終了後、記録動作を再開するものである。よって、読取動作終了後に記録動作を確実に再開できるようにする処理を行なう必要がある。
【００４６】
まず、制御部１０１は、現在、メモリ受信モード中の、画像データをファイルメモリ１０７に受信する動作中（以下、メモリ受信中という）であるか否かの判断をする（ＳＴ３１０）。
【００４７】
そして、ＳＴ３１０において、制御部１０１が、メモリ受信中であるという判断をすると、これから読取を開始することを示す読取の予約画面を表示部１１６に表示する（ＳＴ３１１）。そして、制御部１０１は、記録動作を中断するための処理に移行する。
【００４８】
メモリ受信中は、他の通信装置から継続的に送られてきている画像データを一旦ファイルメモリ１０７に受信、格納し、復号化しながらページメモリ１０６を経由してページ単位で記録している状態である。ここで、単純に記録動作を中止したのでは、ページメモリ１０６に受信した画像データが次々送られてしまい、比較的小さな容量であるページメモリ１０６は許容量を超えてしまう。よって、制御部１０１は、読取動作を終了した後に受信した画像データを正確に記録できるようにするために、受信中の画像データを復号化しながら継続してページメモリ１０６に転送するのではなく、受信中の画像データをファイルメモリ１０７にとどめておくように処理を変更する。（ＳＴ３１２）。また、制御部１０１は、ファイルメモリ１０７に受信中の画像データを格納する際に、ＦＡＴ１０８に画像データの格納アドレスを記憶する。
【００４９】
次に、制御部１０１は、後で記録動作を再開したときに、どのような状態で記録動作を中断したかわかるように、メモリ受信の途中で記録動作を中断したことを示すフラグであるＦＬＧ１をフラグ部１０２にセットする（ＳＴ３１３）。
【００５０】
そして、制御部１０１は、メモリ受信中に画像データをページメモリ１０６に転送せずファイルメモリ１０７内にとどめる処理に変更されたか判断する（ＳＴ３１４）。そして、ＳＴ３１４において、制御部１０１が受信モードの変更を確認すると、制御部１０１は読取動作を開始するために、モータ部１１３を制御しローラ１１２の回転方向を反転させローラ１１２を記録部１１０用から読取部１１１用に変更する（ＳＴ３１５）。そして、制御部１０１は、読取部１１１を制御し、読取動作を開始する（ＳＴ３１６）。
【００５１】
一方、ＳＴ３１０において、制御部１０１がメモリ受信中でないという判断をすると、これから読取を開始することを示す読取の予約画面を表示部１１６に表示する（ＳＴ３１７）。そして、制御部１０１は、ファイルメモリ１０７に一旦格納（受信）した後の画像データを記録出力中であるか否かを判断する（ＳＴ３１８）。
【００５２】
ファイルメモリ１０７に格納していない画像データを記録出力中である場合、つまりダイレクト受信モード中の場合は記録動作を停止できないので、記録動作を中断せず記録動作の停止を待って読取動作を開始させる処理（ＳＴ３１４）に移行する。
【００５３】
一方、ファイルメモリ１０７に一旦格納した画像データを記録出力中である場合、つまりメモリ受信中でもなく、ダイレクト受信モード中でもない場合、言い替えれば、メモリ受信モードのメモリ受信動作だけは終了して画像データは全てファイルメモリ１０７に格納してあるが、その記録出力は未だ終了していない場合は、記録動作を中断するための処理に移行する。
【００５４】
この状態は、一旦ファイルメモリ１０７に格納された画像データが復号化されてページメモリ１０６を介して、ページ単位で記録されている状態である。よって、制御部１０１は、記録動作を中断するのに良い場所であるページの区切りまで記録動作を継続し、ページの区切りまで記録動作を行なったら記録動作を停止する。つまり、制御部１０１は、ページ単位で記録を停止する（ＳＴ３１９）。
【００５５】
次に、制御部１０１は、後で記録動作を再開したときに、どのような状態で記録動作を中断したかわかるように、ファイルメモリ１０７に格納された画像データの記録動作を中断したことを示すフラグであるＦＬＧ２をフラグ部１０２にセットする（ＳＴ３２０）。また、制御部１０１は、記録を停止した区切りの位置に対応するアドレスをワークメモリ１０５に記憶する。
【００５６】
そして、制御部１０１は、記録動作停止を確認すると（ＳＴ３１４）、ＳＴ３１５、ＳＴ３１６の処理を行なう。
【００５７】
そして、読み取る画像データが無くなると、制御部１０１は、モータ部１１３を制御し、ローラ１１２の駆動を停止することで、読取動作を終了する（ＳＴ３２１）。
【００５８】
このようにして、ファイルメモリ１０７に格納した画像データの記録動作中には、記録動作を一旦中断させることで、ローラ１１２を読取動作用に使用できる。この結果、ファイルメモリ１０７に格納した画像データの記録動作中には読取動作を行なうことができる。
【００５９】
そして、制御部１０１は、中断した記録動作を再開する処理に移行する。まず、制御部１０１は、記録動作を中断した画像データがあるか否かを判断する（ＳＴ３２２）。そして、記録動作を中断した画像データがある場合には、どのような状態で記録動作が中断したか判断するために、フラグ部１０２を参照し、ＦＬＧ１かＦＬＧ２のどちらのフラグがセットされているか判断する（ＳＴ３２３）。
【００６０】
そして、ＳＴ３２３において、ＦＬＧ１がセットされているという判断をすると、メモリ受信中に記録動作が中断されていたことになり、制御部１０１は、モータ部１１３を制御しローラ１１２を記録動作用の回転方向で駆動する。次に、中断後に受信した画像データがファイルメモリ１０７に格納されているので、制御部１０１は、ＦＡＴ１０８を参照することで受信した画像データの格納先を検出し、ファイルメモリ１０７から受信した画像データを抽出する。そして、制御部１０１は、抽出した画像データを記録し、ＦＬＧ１をクリアする（ＳＴ３２４）。
【００６１】
このようにして、読取動作を優先させるために、メモリ受信中に記録動作を中断した場合には、読取動作を終了した後に、受信した残りの画像データを正確に記録できる。
【００６２】
一方、ＳＴ３２３において、ＦＬＧ２がセットされているという判断をすると、画像データをファイルメモリ１０７に受信することは終了したが、その記録出力が未終了であったことになり、制御部１０１は、モータ部１１３を制御しローラ１１２を記録動作用の回転方向で駆動する。次に、制御部１０１は、記録を停止した区切りの位置のアドレスをワークメモリ１０５から抽出する。そして、制御部１０１は、ファイルメモリ１０７から記録を停止した区切りの位置以降の画像データを抽出する。そして、制御部１０１は、抽出した画像データを記録し、ＦＬＧ２をクリアする（ＳＴ３２５）。
【００６３】
このようにして、読取動作を優先させるために、ファイルメモリ１０７に格納された画像データの記録動作を中断した場合では、読取動作を終了した後に残りの画像データを正確に記録できる。
【００６４】
以上説明したように、上記実施の形態によれば、記録動作中に読取指示がされた場合に、ユーザが装置の前にいないことが多い受信動作の中でメモリ受信モードにおいては、ファイルメモリ１０７内の画像データを復号化しながらページメモリに転送する処理を停止し、画像データをファイルメモリ１０７にとどめる処理に変更し、ユーザが装置の前にいる読取動作を優先させて読取動作を受信動作とを平行処理できる。この結果、読取部１１１と記録部１１０とで１つのモータ部１１３およびローラ１１２を共用して装置のコストダウンを図った場合であっても、ユーザは受信動作の終了を待たずに受信動作を継続しながら読取動作を行なうことができる。
【００６５】
また、上記実施の形態によれば、記録動作中に読取指示がされた場合に、メモリ受信モードにおいてメモリ受信自体は終了したがその記録出力が未終了のときは、データの区切りで記録動作を停止し、ユーザが装置の前にいる読取動作を優先させて読取動作と記録動作とを平行処理できる。この結果、読取部１１１と記録部１１０とで１つのモータ部１１３およびローラ１１２を共用して装置のコストダウンを図った場合であっても、ユーザは記録動作の終了を待たずに読取動作を行なうことができる。
【００６６】
また、上記実施の形態では、制御部１０１が行なう記録動作および読取動作制御をプログラムとし、制御部１０１がこのプログラムをダウンロードして処理する形態を想定しているが、制御部１０１が行なう記録動作および読取動作制御を専門に行なうハードウェアを持つ構成にしても良い。
【００６７】
また、上記実施の形態では、説明の簡略化のために１つのローラ１１２で原稿２０１もしくは記録紙２０２を搬送する形態で説明する。しかし、複数のローラを使用し、この複数のローラの回転方向を反転することで原稿２０１を搬送するか、記録紙２０２を搬送するかを切り替える形態であっても良い。
【００６８】
【発明の効果】
以上説明したように、本発明によれば、記録動作中に読取指示がされた場合に、ユーザが装置の前にいないことが多い受信画像データの記録動作を一時中断するにあたって、どのような状態で記録動作が中断したかをフラグ管理した上で、ユーザが装置の前にいる読取動作を優先させることができるので、読取部と記録部とで１つのモータを共用して装置のコストダウンを図った場合であっても、ユーザが記録動作の終了を待たずに読取動作を行なうことができ、読取動作終了後には記録動作を確実に再開できる。
【図面の簡単な説明】
【図１】本発明の一実施の形態にかかるファクシミリ装置のハードウェアブロック図
【図２】上記実施の形態にかかるローラおよびモータの動作を説明するための模式図
【図３】上記実施の形態にかかるファクシミリ装置の記録制御および読取制御のフロー図
【図４】従来のファクシミリ装置の記録制御および読取制御のフロー図
【符号の説明】
１０１  制御部
１０２  フラグ部
１０３  メモリ部
１０５  ワークメモリ
１０６  ページメモリ
１０７  ファイルメモリ
１０８  ＦＡＴ
１０９  通信部
１１０  記録部
１１１  読取部
１１２  ローラ
１１３  モータ部
【図１】
0004773632.tif 000002
【図２】
0004773632.tif 000003
【図３】
0004773632.tif 000004
【図４】
0004773632.tif 000005